(57)【要約】      （修正有）【課題】居住空間の広さを損なうことなく、簡単な構造で壁裏空間の有効活用を図れ、取扱い性及び使い勝手並びに意匠性に優れるフレキシブルウォール機能の高い壁面収納システムを提供する。【解決手段】複数の収容部１１０，１２０を有し、収容部１１０，１２０の正面部側は居住空間１０内の壁面４０ｂと略同一面上に位置し、収容部１１０の裏面部側は壁面４０ｂの裏側に位置するよう壁４０に埋設された壁面収納システム１００であって、収容部１１０，１２０の正面部側には開閉機構部１５０を介して垂直方向に回動自在な扉１３０，１４０が着脱自在となるよう設けられ、収容部１１０，１２０には収納部１６０，１７０が挿脱自在に収容されるよう構成したことを特徴とする。【選択図】図２
0003205168.tif 000002
【実用新案登録請求の範囲】
【請求項１】
複数の収容部を有し、この収容部の正面部側は居住空間内の壁面と略同一面上に位置し、当該収容部の背面部側は当該壁面の裏側に位置するよう当該壁に埋設された壁面収納システムであって、
上記収容部の正面部側には、当該収容部に設けられた開閉機構部を介して垂直方向に回動自在な扉が着脱自在となるよう設けられ、
上記収容部には、一部が開放された収納部が挿脱自在に収容されるよう構成したことを特徴とする壁面収納システム。
【請求項２】
上記収容部に設けられた扉で同一形状を呈するもの同士は、交換可能としたことを特徴とする請求項１記載の壁面収納システム。
【請求項３】
上記扉は、居住空間内の床面から所定の位置未満に存する場合、当該扉の上部側が下方向へ回動自在に開閉するよう構成され、
上記扉は、居住空間内の床面から上記所定の位置以上に存する場合、当該扉の下部側が上方向へ回動自在に開閉するよう構成されることを特徴とする請求項１または請求項２記載の壁面収納システム。
【請求項４】
上記扉に照明機構部を設けたことを特徴とする請求項１、請求項２または請求項３記載の壁面収納システム。
【請求項５】
上記扉は垂直方向に対して略直角に水平状態を保持可能となるようステー機構部を上記収容部に設けたことを特徴とする請求項１乃至請求項４記載の壁面収納システム。
【考案の詳細な説明】
【技術分野】
【０００１】
本考案は、建築物の居住空間に位置する壁面に埋設された壁面収納システム、特に戸建て住宅やマンション他集合住宅等の限られた居住空間に於ける壁裏空間の有効活用を図った壁面収納システムに関する。
【背景技術】
【０００２】
従来、戸建て住宅やマンション他集合住宅等の限られた居住空間にあっては、居住空間を広く使用するために、種々の工夫が図られてきている。例えば、物品等の収納場所として、壁面収納といったように壁面を利用した種々の工夫が図られてきている。
【０００３】
特開平８−２５４００９（下記特許文献1）には、壁パネル面に設けられた開口部に嵌め込んで取付けられるプラスチックにより一体成形されたシングル壁パネル用の壁面収納棚に於いて、収納棚本体の前面周縁の外側に収納棚本体の奥行方向に折り返してフランジが設けられ、このフランジの先端が壁パネルの開口部周囲に当接され、収納棚本体が壁パネル内に嵌め込まれるよう構成した壁面収納棚が開示されている。この特許文献１によれば、壁面に嵌め込むことにより、壁体のデッドスペースを有効に活用するとともに、壁面よりの出っ張り寸法を少なくして、居住空間の占領を少なくすることが可能で、シングル壁及びダブル壁の両方に適用して設けることができる組立て及び取付けが容易となるものである。
【０００４】
特開平８−３３８１２６号公報（下記特許文献２）には、住宅の玄関ホールや廊下の壁面に設けられた壁面収納構造に関する技術が開示されている。この特許文献２の壁面収納構造は、壁面の一部を後退させて凹部を形成し、少なくとも一方の面にコート掛け等の所定の収納具を取り付けた収納板を当該収納板の鉛直対称軸線回りに回動自在に上記凹部の開口に配設する構造とすることにより、収納品の取り出しが容易であるとともに小さな前面スペースでも開閉可能で、重量負担を軽減することができるようにしたものである。
【０００５】
特開平１０−２９２６１４号公報（下記特許文献３）には、住宅等の室内の壁面収納部の構造に関する技術が開示されている。この特許文献３は、外壁または仕切り壁の裏面と室内壁との間の空隙部に一体成型した収納部を格納していること或いは内装材を取着していることを特徴とし、さらに上記収納部は蓋に開口部が設けられているトランクであり、このトランクが空隙部に着脱自在に格納されているよう構成したことを特徴としている。これにより、手数が掛からず容易に施工でき、作業性がよく、意匠性と利便性に優れた壁面収納部を提供するようにしたものである。
【０００６】
特開２００５−３２５５２５号公報(下記特許文献４)には、壁面収納を自由に配置できる建物に関する技術が開示されている。この特許文献４では、外壁内面に室内側に突出する突出壁が複数形成されることによって、これら突出壁と外壁とにより平面視コ字状の凹部が形成され、この凹部に収納部が設けられている。そして、突出壁は、柱と異なり外壁内面の所望の位置に形成できるので、この突出壁と外壁とによって形成された凹部を所望の位置に設けることができ、以って収納部を所望の位置に自由に配置できるようにしたことを特徴としている。
【先行技術文献】
【特許文献】
【０００７】
【特許文献１】特開平８−２５４００９号公報
【特許文献２】特開平８−３３８１２６号公報
【特許文献３】特開平１０−２９２６１４号公報
【特許文献４】特開２００５−３２５５２５号公報
【考案の開示】
【考案が解決しようとする課題】
【０００８】
近時、居住空間にビルトインされ扉開放時に階段状に収納棚が展開されるよう構成した収納システムの壁面収納への応用を図ろうとする試みもある。しかし、このものにあっては、その仕組みが大がかりで、その設置のために多くの費用と手間を要するものである。
また、フレキシブルウォール機能として種々の提案が設計側からなされているが、これは単に収納棚的な機能に視点が置かれ、ユーザ視線に立った使い勝手のよいものが提案されていないのが実情である。例えば、季節毎或いは生活シーンに応じて居住空間のイメージを変えるべく壁面のデサインを変えるようなことは容易にはできないものである。また、普段は収納棚として機能し、来客時には飾り棚としての機能を欲したくても、これを実現するようなフレキシブルウォール機能は提案されていなかった。
【０００９】
特許文献１に開示されたものは、壁体のデッドスペースを有効に活用するとともに、壁面よりの出っ張り寸法を少なくして、居住空間の占領を少なくすることを可能とし、圧迫感を受けたり、立ち振る舞い時に不都合であるといったことを解消することを意図したものに過ぎないものである。上述したようなユーザ視線に立ったフレキシブルウォール機能の思想は全くなく、また示唆もされていないものである。
【００１０】
特許文献２に開示されたものは、収納品の取出しが容易であるとともに小さな前面スペースでも開閉可能であり、且つ重量負担を軽減することを意図したものに過ぎないものである。特許文献２には、上述したようなユーザ視線に立ったフレキシブルウォール機能の思想は全くなく、また示唆もされていないものである。
【００１１】
特許文献３に開示されたものは、手数が掛からず容易に施工でき、作業性がよ
く、意匠性と利便性に優れた壁面収納部を提供することを意図したものに過ぎないものである。このものにあっても、上述したようなユーザ視線に立ったフレキシブルウォール機能の思想は全くなく、示唆もされていないものである。
【００１２】
特許文献４に開示されたものは、壁面収納を自由に配置できる建物を提供することを意図したものに過ぎないものである。特許文献４にあっても上述したようなユーザ視線に立ったフレキシブルウォール機能の思想は全くなく、また示唆もされていないものである。
【００１３】
本考案は、上記事情を考慮してなされたもので、上述の不具合を解消し、居住空間の広さを損なうことなく、簡単な構造で壁裏空間の有効活用を図れる壁面収納システムを提供することを目的とする。
また、本考案は、取扱い性、使い勝手及び意匠性に優れ且つフレキシブルウォール機能の高い壁面収納システムを提供することを目的とする。
【課題を解決するための手段】
【００１４】
本考案は、上記目的を達成するために以下の通りの構成とすることを特徴とする。
【００１５】
（１）  複数の収容部を有しこの収容部の正面部側は居住空間内の壁面と略同一面上に位置し当該収容部の背面部側は当該壁面の裏側に位置するよう当該壁に埋設された壁面収納システムであって、上記収容部の正面部側には当該収容部に設けられた開閉機構部を介して垂直方向に回動自在な扉が着脱自在となるよう設けられ、また上記収容部には一部が開放された収納部が挿脱自在に収容されるよう構成したことを特徴とする。
【００１６】
（２）  上記（１）の構成にあって、上記収容部に設けられた扉で同一形状を呈するもの同士は、交換可能とするよう構成したことを特徴とする。
【００１７】
（３）  上記(１)または（２）の構成にあって、上記扉は居住空間内の床面から所定の位置未満に存する場合は当該扉の上部側が下方向へ回動自在に開閉するよう構成され、また上記扉は居住空間内の床面から上記所定の位置以上に存する場合は当該扉の下部側が上方向へ回動自在に開閉するよう構成されることを特徴とする。
【００１８】
（４）上記（１）、（２）または（３）の構成にあって、上記扉に照明機構部を設けた構成としたことを特徴とする。
【００１９】
（５）上記（１）乃至（４）の構成にあって、上記扉は垂直方向に対して略直角に水平状態を保持可能となるようステー機構部を上記収容部に設けた構成としたことを特徴とする。
【００２０】
上記構成によれば、居住空間の広さを損なうことなく、簡単な構造で壁裏空間の有効活用を図れるものである。また、操作性も良く取扱いが容易という実用的効果を奏するものである。
【００２１】
さらに、上記構成によれば、扉を着脱自在に交換可能としてあるので、扉に描かれるデザインを容易に変更可能となり、居住空間側の意匠性の自由度向上を図れ、美観にも優れ且つフレキシブルウォール機能が高いという効果を奏するものである。
【考案の効果】
【００２２】
本考案によれば、居住空間の広さを損なうことなく、簡単な構造で壁裏空間の有効活用を図れるものである。
また、本考案によれば、取扱い性、使い勝手及び意匠性の観点からの改善も図れ、且つフレキシブルウォール機能の高い実用的な効果をも奏する。
【図面の簡単な説明】
【００２３】
【図１】本考案の一実施形態に係わる壁面収納システムの正面側からの全体の概略構成を示す図である。
【図２】同実施形態に係わり、壁面収納システムの側面側からの全体の概略構成を模式的に示す図である。
【図３】同実施形態に係わり、壁面収納システムに於ける扉の開閉状況を側面側から模式的に示す図である。
【図４】同実施形態に係わり、最下段以外に位置する扉の概略構成を模式的に示す図であり、（ａ）は正面側からの、（ｂ）は背面側からの、（ｃ）は側面側からの図である。
【図５】同実施形態に係わり、最下段に位置する扉の概略構成を模式的に示す図であり、（ａ）は正面側からの、（ｂ）は背面側からの、（ｃ）は側面側からの図である。
【図６】同実施形態に係わり、収容部に設けられた開閉機構部の一部の概略構成を模式的に示す図であり、（ａ）は最上段に位置する収容部に設けられた開閉機構部の、（ｂ）は最上段以外に位置する収容部に設けられた開閉機構部の概略構成を模式的に示す図である。
【図７】同実施形態に係わり、ステー機構部を設けた扉の開閉状況を側面側から模式的に示す図である。
【図８】同実施形態に係わり、最下段以外に位置する収容部に収容される収納部の概略構成を模式的に示す図である。
【図９】同実施形態に係わり、最下段に位置する収容部に収容される収納部の概略構成を模式的に示す図である。
【図１０】同実施形態に係わり、着脱自在に設けられた収納棚を有する収納部の概略構成を模式的に示す図であり、（ａ）は最下段以外に位置する収納部の、（ｂ）は最下段に位置する収納部の図である。
【図１１】本考案の他の実施形態に係わる壁面収納システムの正面側からの全体の概略構成を示す図である。
【図１２】同実施形態に係わり、壁面収納システムの側面側からの全体の概略構成を模式的に示す図である。
【図１３】同実施形態に係わり、壁面収納システムに於ける扉の開閉状況を側面側から模式的に示す図である。
【図１４】同実施形態に係わり、最下段以外に位置する扉の概略構成を模式的に示す図であり、（ａ）は正面側からの、（ｂ）は背面側からの、（ｃ）は側面側からの図である。
【図１５】同実施形態に係わり、最下段に位置する扉の概略構成を模式的に示す図であり、（ａ）は正面側からの、（ｂ）は背面側からの、（ｃ）は側面側からの図である。
【図１６】同実施形態に係わり、収容部に設けられた開閉機構の一部の概略構成を模式的に示す図であり、（ａ）は最上段に位置する収容部に設けられた開閉機構部の、（ｂ）は最上段以外に位置する収容部に設けられた開閉機構部の概略構成を模式的に示す図である。
【図１７】同実施形態に係わり、ステー機構部を設けた扉の開閉状況を側面側から模式的に示す図である。
【図１８】同実施形態に係わり、最下段以外に位置する収容部に収容される収納部の概略構成を模式的に示す図である。
【図１９】同実施形態に係わり、最下段に位置する収容部に収容される収納部の概略構成を模式的に示す図である。
【図２０】同実施形態に係わり、着脱自在に設けられた収納棚を有する収納部の概略構成を模式的に示す図であり、（ａ）は最下段以外に位置する収納部の、（ｂ）は最下段に位置する収納部の図である。
【図２１】同実施形態に係わり、扉により閉塞状態にある収納棚を装着した収納部の概略構成を模式的に示す図であり、（ａ）は最下段以外に位置する収納部の、（ｂ）は最下段に位置する収納部の図である。
【図２２】同実施形態に係わり、収納部を閉塞状態にした扉の開閉状況を側面側から模式的に示す図である。
【図２３】同実施形態の変形例に係わり、扉の概略構成を模式的に示す図であり、（ａ）は正面側からの、（ｂ）は背面側からの、（ｃ）は側面側からの図である。
【考案を実施するための形態】
【００２４】
以下本考案の一実施形態につき、図を参照して説明する。
【００２５】
本実施形態に係わる壁面収納システム１００は、居住空間の壁と一体となってフレキシブルウォールとして機能するものであり、直方体状で、その下部１００ａは居住空間１０を形成する床面２０と同一平面上に位置して天井３０方向に垂直に指向するよう居住空間１０を形成する壁４０に壁裏４０ａ方向へ埋設されている。ここで、この埋設されている部分Ｌ１は、例えば５０ｃｍである。
【００２６】
この壁面収納システム１００の正面側１００ｂは例えば横方向の一辺Ｌ２が１６０ｃｍで縦方向の一辺Ｌ３が１８０ｃｍの長方形状であり、居住空間１０側に位置する壁面４０ｂと同一平面上に位置するよう構成されている。而して、壁面収納システム１００の正面側１００ｂと壁面４０ｂとは、あたかも一体的に形成されているよう外観を呈するものである。
【００２７】
なお、Ｌ１、Ｌ２及びＬ３の寸法は上記に限定される訳ではなく、他の寸法でもよいことは勿論である。
【００２８】
また、壁面収納システム１００は、正面側の一辺がＭ１（即ち、Ｌ２／４）の正方形状である収容部１１０を１２個と、横の辺がＭ１で縦の辺がＭ２の正面部が長方形状である収容部１２０を４個有している。正方形状の収容部１１０は、一段につき４個ずつ壁面収納システム１００の最上段から下方へ３段に亘って配されている。長方形状の収容部１２０は、上部に収容部１１０が位置するよう壁面収納システム１００の最下段に配されている。
【００２９】
ここで、Ｍ１＝４０ｃｍ、Ｍ２＝６０ｃｍとしているが、これに限定される訳ではなく、他の寸法でもよいことは勿論である。
【００３０】
各収容部１１０，１２０の正面部側には、扉１３０，１４０が設けられている。この扉１３０，１４０は、各収容部１１０，１２０に設けられた開閉機構部１５０を介して垂直方向に回動自在となるよう取付けられている。また、扉１３０，１４０の幾つかは収容部１１０，１２０の正面部側に対し着脱自在となるよう設けられている。而して、各収容部１１０，１２０の正面部側が扉１３０，１４０にて閉塞状態にあると、扉１３０，１４０は同一平面上に位置して壁面収納システム１００の正面側１００ｂを構成し、以って壁面４０ｂとあたかも一体的に形成されているよう外観を呈するものである。
なお、扉１３０は、その正面部は一辺が略Ｍ１の正方形状である。他方、扉１４０は、その正面部の横辺が略Ｍ１、縦辺が略Ｍ２の長方形状である。
【００３１】
最上段に位置する収容部１１０は、即ち床面２０から（Ｍ２＋２×Ｍ１）以上に位置する収容部１１０は、その上部に開閉機構部１５０が設けられており、開閉機構部１５０を介して矢印Ｕ方向及び反矢印Ｕ方向に回動自在となるよう構成されている。最上段以外に位置する収容部１１０，１２０は、即ち床面２０から（Ｍ２＋２×Ｍ１）未満に位置する収容部１１０，１２０は、その下部に開閉機構部１５０が設けられており、開閉機構部１５０を介して矢印Ｄ方向及び反矢印Ｄ方向に回動自在となるよう構成されている。
【００３２】
最上段に位置する収容部１１０に設けられた開閉機構部１５０は、収容部１１０の正面部側の側面上部に設けられた樹脂製の変形及び復元可能な突起部１５２と、扉１３０の両側面の上部及び下部に設けられた突起受け部１５４とから構成されるものである。即ち、突起受け部１５４に突起部１５２を押し込み嵌合させることで、扉１３０は回動自在となるよう構成されている。
最上段以外に位置する収容部１１０，１２０に設けられた開閉機構部１５０は、収容部１１０，１２０の正面部側の側面下部に設けられた樹脂製の変形及び復元可能な突起部１５２と、扉１３０，１４０の両側面の上部及び下部に設けられた突起受け部１５４とから構成されるものである。最上段に位置する収容部１１０に設けられた開閉機構部１５０と同様に、突起受け部１５４に突起部１５２を押し込み嵌合させることで、扉１３０，１４０は回動自在となるよう構成されている。
【００３３】
図４に示すように、最下段以外に位置する扉１３０の正面側（正面側１００ｂの位置）には、その上部及び下部の中央部分に扉１３０の開閉時に指を引掛けて引いたり押したりするための凹部１３２が形成されている。また、扉１３０の背面側には、その上部及び下部の中央部分に磁石につく性質を有する金属片例えば鉄片１３４が取着されている。
【００３４】
図５に示すように、最下段に位置する扉１４０の正面側（正面側１００ｂの位置）には、その上部及び下部の中央部分に扉１４０の開閉時に指を引掛けて引いたり押したりするための凹部１４２が形成されている。また、扉１４０の背面側には、その上部及び下部の中央部分に磁石につく性質を有する金属片例えば鉄片１４４が取着されている。
【００３５】
収容部１１０，１２０には、正面部側が開放された収納部１６０，１７０が挿脱自在に収容されている。
【００３６】
収納部１６０は、最下段以外に位置する収容部１１０に挿脱自在に収容さるもので、収容部１１０の内側の縦、横及び奥行きの寸法より若干小さく作られている。収納部１６０の正面部側には、その上部及び下部の中央部分に磁石より成る取着部１６２が設けられており、扉１３０による収容部１１０の閉塞時、鉄片１３４を吸着するものである。
【００３７】
収納部１７０は、最下段に位置する収容部１２０に挿脱自在に収容さるもので、収容部１２０の内側の縦、横及び奥行きの寸法より若干小さく作られている。収納部１７０の正面部側には、その上部及び下部の中央部分に磁石より成る取着部１７２が設けられており、扉１４０による収容部１２０の閉塞時、鉄片１４４を吸着するものである。
【００３８】
なお、収納部１６０，１７０の幾つかには、図１０に示すように収納棚１６４，１７４が着脱自在に設けられている。限られた空間の有効活用を図るべく収納部１６０，１７０に収納棚１６４，１７４を取付けることで、多くの小物等の載置・収納を可能としてある。
ここで、収納棚１６４，１７４の収納部１６０，１７０への着脱は、ねじ留め方式によるものでも良いし、ラッチ機構を利用したものでも何でもよいものである。
【００３９】
収容部１１０の幾つかには、ステー機構部１８０が設けられている。
このステー機構部１８０は、最上段に位置する収容部１１０に於いては、その一端部１８０ａが当該収容部１１０の上部側面に取付けられ、その他端部１８０ｂが扉１３０に取付けられており、扉１３０が回動自在に矢印Ｕ方向に回動し垂直方向に対して直角状態、即ち床面２０と水平状態になると、この水平状態を保持するよう機能するものである。
また、最上段以外に位置する収容部１１０、例えば上から２段目に位置する収容部１１０に於いては、その一端部１８０ａが当該収容部１１０の下部側面に取付けられ、その他端部１８０ｂが扉１３０に取付けられており、扉１３０が回動自在に矢印Ｄ方向に回動し垂直方向に対して直角状態、即ち床面２０と水平状態になると、この水平状態を保持するよう機能するものである。
ステー機構部１８０としては、スプリング式パワーアシスト式のもの、オイルダンパー式のもの或いはロック付のもの等種々のものが市販されており、いずれを用いてもよいものである。
【００４０】
なお、最上段に位置する収容部１１０の一つには、その扉１３０の表面及び裏面に照明機構部１９０が設けられている。即ち、この照明機構部１９０は、正面側１００ｂの扉１３０（扉の正面側）の周縁部近傍に取付けられた枠状のＬＥＤ照明具１９２と、扉１３０の背面側に取付けられたＬＥＤダウンライト照明具１９４とから構成されている。また、最上段以外に位置する収容部１１０，１２０の扉１３０，１４０には、照明機構部１９０を設けていない。
【００４１】
上記構成につき、その作用を以下に述べる。
【００４２】
本壁面収納システム１００は、全ての扉１３０，１４０を開閉機構部１５０を介して回動自在に垂直方向に移動させて収容部１１０，１２０の正面部側を閉塞させると、壁４０と一体的になり、居住空間１０の壁として機能を呈するものである。この状態でＬＥＤ照明具１９２を点灯させれば、例えば居住空間１０の補助照明として機能するものである。
【００４３】
ここで、着脱自在に取外しが可能な扉１３０，１４０に所望のデザインを施してあれば、同形の扉同士を交換して取付ければ、居住空間１０の視覚的印象を変えられるものである。扉１３０，１４０の取外しは、扉１３０，１４０を凹部１３２，１４２を介して正面側１００ｂに引張れば、樹脂製の突起部１５２が変形して突起受け部１５４から離脱することにより可能となる。扉１３０，１４０の取付けは、突起部１５２を突起受け部１５４に押込み嵌合させることにより可能となる。
【００４４】
また、例えば２段目に位置する収容部１１０の扉１３０を、開閉機構部１５０を介して矢印Ｄ方向に回動して水平状態にすると、ステー機構部１８０が扉１３０の水平状態を保持するので、簡単なライティングディスクとして機能するものである。このとき、照明機構部１９０が設けられた扉１３０を、開閉機構部１５０を介して矢印Ｕ方向に回動して水平状態にすると、ステー機構部１８０が扉１３０の水平状態を保持するので、ＬＥＤダウンライト照明具１９４を点灯状態にすれば、手元を明るくした状態でライティングディスク機能を利用できるものである。また、ＬＥＤ照明具１９２を点灯させれば、光が天井３０で反射することにより間接照明として機能するものである。
【００４５】
扉１３０，１４０が着脱自在に取外し可能な収容部１１０，１２０或いは収納部１６０，１７０にあっては、内部に例えば装飾用小物を置いて扉１３０，１４０を取外しておけば、飾り棚として機能するものである。また、扉１３０，１４０を閉塞状態にしておけば、小物入れとして機能できるものである。
【００４６】
収納部１６０，１７０に収納された上記装飾用小物は、収容部１１０，１２０から収納部１６０，１７０を挿脱自在に取外し可能としてあるので、当該小物を収納部１６０，１７０に収納した状態で持運びや移動或いは他の収容部１１０，１２０への移動等が可能である。
【００４７】
上記実施形態によれば、壁面収納システム１００は居住空間１０の壁４０と一体となってフレキシブルウォールとして機能し、居住空間１０の広さを損なうことなく、簡単な構造で壁裏空間の有効活用を図れるものである。また、操作性も良く取扱いが容易という実用的効果を奏するものである。
また、上記実施形態によれば、扉１３０，１４０を着脱自在に交換可能としてあるので、扉１３０，１４０に施されるデザインを容易に変更可能となり、居住空間１０側の意匠性の自由度向上を図れ、美観にも優れ且つフレキシブルウォール機能を高められるという効果を奏するものである。
【００４８】
さらに、上記実施形態によれば、扉１３０を水平状態にしてライティングディスクとして機能させることもでき、また照明機構部１９０により補助照明機能或いは間接照明機能を提供することも可能となり、実用的であり便利なものである。
さらに、上記実施形態によれば、収容部１１０，１２０或いは収納部１６０，１７０を例えば装飾用の棚や収納用棚としても機能させることができるので、実用的にも優れるものである。しかも、収納部１６０，１７０は取外して移動や持運び等可能なので、便利で有用なものである。
【００４９】
なお、上述した開閉機構部１５０やステー機構部１８０の具体的構成は、上記実施形態に限定される訳ではなく、種々の変形が可能である。
【００５０】
次に本考案の他の実施形態につき、図１１乃至図２２を参照して以下に説明する。
【００５１】
前述の一実施形態と同一部分、同一機能については、同一番号・同一記号を付して一部説明は省略する。
【００５２】
本実施形態に係わる壁面収納システム２００は、居住空間の壁と一体となってフレキシブルウォールとして機能するものであり、直方体状で、その下部２００ａは居住空間１０を形成する床面２０と同一平面上に位置して天井３０方向に垂直に指向するよう居住空間１０を形成する壁４０に壁裏４０ａ方向へ埋設されている。ここで、この埋設されている部分Ｌ４は、例えば３０ｃｍである。
【００５３】
この壁面収納システム２００の正面側２００ｂは例えば横方向の一辺Ｌ２が１６０ｃｍで縦方向の一辺Ｌ３が１８０ｃｍの長方形状のあり、居住空間１０側に位置する壁面４０ｂと同一平面上に位置するよう構成されている。而して、壁面収納システム２００の正面側２００ｂと壁面４０ｂとは、あたかも一体的に形成されているよう外観を呈するものである。
【００５４】
なお、Ｌ２、Ｌ３及びＬ４の寸法は上記に限定される訳ではなく、他の寸法でもよいことは勿論である。
【００５５】
また、壁面収納システム２００は、正面側の一辺がＭ１（即ち、Ｌ２／４）の正方形状である収容部２１０を１２個と、横の辺がＭ１で縦の辺がＭ２の正面部が長方形状である収容部２２０を４個有している。正方形状の収容部２１０は、一段につき４個ずつ壁面収納システム２００の最上段から下方へ３段に亘って配されている。長方形状の収容部２２０は、上部に収容部２１０が位置するよう壁面収納システム２００の最下段に配されている。
【００５６】
ここで、Ｍ１＝４０ｃｍ、Ｍ２＝６０ｃｍとしているが、これに限定される訳ではなく、他の寸法でもよいことは勿論である。
【００５７】
各収容部２１０，２２０の正面部側には、扉２３０，２４０が設けられている。この扉２３０，２４０は、各収容部２１０，２２０に設けられた開閉機構部２５０を介して垂直方向に回動自在となるよう取付けられている。また、扉２３０，２４０の幾つかは収容部２１０，２２０の正面部側に対し着脱自在となるよう設けられている。而して、各収容部２１０，２２０の正面部側が扉２３０，２４０にて閉塞状態にあると、扉２３０，２４０は同一平面上に位置して壁面収納システム２００の正面側２００ｂを構成し、以って壁面４０ｂとあたかも一体的に形成されているよう外観を呈するものである。
なお、扉２３０は、その正面部は一辺が略Ｍ１の正方形状である。他方、扉２４０は、その正面部の横辺が略Ｍ１、縦辺が略Ｍ２の長方形状である。
【００５８】
最上段に位置する収容部２１０は、即ち床面２０から（Ｍ２＋２×Ｍ１）以上に位置する収容部２１０は、その上部に開閉機構部２５０が設けられており、開閉機構部２５０を介して矢印Ｕ方向及び反矢印Ｕ方向に回動自在となるよう構成されている。最上段以外に位置する収容部２１０，２２０は、即ち床面２０から（Ｍ２＋２×Ｍ１）未満に位置する収容部２１０，２２０は、その下部に開閉機構部２５０が設けられており、開閉機構部２５０を介して矢印Ｄ方向及び反矢印Ｄ方向に回動自在となるよう構成されている。
【００５９】
最上段に位置する収容部２１０に設けられた開閉機構部２５０は、収容部２１０の正面部側の側面上部に設けられた樹脂製の変形及び復元可能な突起部２５２と、扉２３０の両側面の上部及び下部に設けられた突起受け部２５４とから構成されるものである。即ち、突起受け部２５４に突起部２５２を押し込み嵌合させることで、扉２３０は回動自在となるよう構成されている。
最上段以外に位置する収容部２１０，２２０に設けられた開閉機構部２５０は、収容部２１０，２２０の正面部側の側面下部に設けられた樹脂製の変形及び復元可能な突起部２５２と、扉２３０，２４０の両側面の上部及び下部に設けられた突起受け部２５４とから構成されるものである。最上段に位置する収容部２１０に設けられた開閉機構部２５０と同様に、突起受け部２５４に突起部２５２を押し込み嵌合させることで、扉２３０，２４０は回動自在となるよう構成されている。
【００６０】
図１４に示すように、最下段以外に位置する扉２３０の正面側（正面側２００ｂの位置）には、その上部及び下部の中央部分に扉２３０の開閉時に指を引掛けて引いたり押したりするための凹部２３２が形成されている。また、扉２３０の背面側には、その上部及び下部の中央部分に磁石につく性質を有する金属片例えば鉄片２３４が取着されている。
【００６１】
図１５に示すように、最下段に位置する扉２４０の正面側（正面側２００ｂの位置）には、その上部及び下部の中央部分に扉２４０の開閉時に指を引掛けて引いたり押したりするための凹部２４２が形成されている。また、扉２４０の背面側には、その上部及び下部の中央部分に磁石につく性質を有する金属片例えば鉄片２４４が取着されている。
【００６２】
収容部２１０，２２０には、正面部側が開放された収納部２６０，２７０が挿脱自在に収容されている。
【００６３】
収納部２６０は、最下段以外に位置する収容部２１０に挿脱自在に収容さるもので、収容部２１０の内側の縦、横及び奥行きの寸法より若干小さく作られている。収納部２６０の正面部側には、その上部及び下部の中央部分に磁石より成る取着部２６２が設けられており、扉２３０による収容部２１０の閉塞時、鉄片２３４を吸着するものである。
取着部２６２の磁力は強力であり、鉄片２３４と吸着状態にあると、扉２３０の開閉動作に伴って、収納部２６０は矢印Ｕ方向及び反矢印Ｕ方向に連動可能となるものである。
【００６４】
収納部２７０は、最下段に位置する収容部２２０に挿脱自在に収容さるもので、収容部２２０の内側の縦、横及び奥行きの寸法より若干小さく作られている。収納部２７０の正面部側には、その上部及び下部の中央部分に磁石より成る取着部２７２が設けられており、扉２４０による収容部２２０の閉塞時、鉄片２４４を吸着するものである。
取着部２７２の磁力は強力であり、鉄片２４４と吸着状態にあると、扉２４０の開閉動作に伴って、収納部２７０は矢印Ｄ方向及び反矢印Ｄ方向に連動可能となるものである。
【００６５】
なお、収納部２６０，２７０の幾つかには、図２０に示すように収納棚２６４，２７４が着脱自在に設けられている。限られた空間の有効活用を図るべく収納部２６０，２７０に収納棚２６４，２７４を取付けることで、多くの小物等の載置・収納を可能としてある。また、扉２３０，２４０の開放時に飾り棚としても機能するよう構成されている。
ここで、収納棚２６４，２７４の収納部２６０，２７０への着脱は、ねじ留め方式によるものでも良いし、ラッチ機構を利用したものでも何でもよいものである。
【００６６】
収容部２１０の幾つかには、ステー機構部２８０が設けられている。
このステー機構部２８０は、最上段に位置する収容部２１０に於いては、その一端部２８０ａが当該収容部２１０の上部側面に取付けられ、その他端部２８０ｂが扉２３０に取付けられており、扉２３０が回動自在に矢印Ｕ方向に回動し垂直方向に対して直角状態、即ち床面２０と水平状態になると、この水平状態を保持するよう機能するものである。
また、最上段以外に位置する収容部２１０、例えば上から２段目に位置する収容部２１０に於いては、その一端部２８０ａが当該収容部２１０の下部側面に取付けられ、その他端部２８０ｂが扉２３０に取付けられており、扉２３０が回動自在に矢印Ｄ方向に回動し垂直方向に対して直角状態、即ち床面２０と水平状態になると、この水平状態を保持するよう機能するものである。
ステー機構部２８０としては、スプリング式パワーアシスト式のもの、オイルダンパー式のもの或いはロック付のもの等種々のものが市販されており、いずれを用いてもよいものである。
【００６７】
なお、最上段に位置する収容部２１０の一つには、その扉２３０の表面及び裏面に照明機構部２９０が設けられている。即ち、この照明機構部２９０は、正面側２００ｂの扉２３０（扉の正面側）の周縁部近傍に取付けられた枠状のＬＥＤ照明具２９２と、扉２３０の背面側に取付けられたＬＥＤダウンライト照明具２９４とから構成されている。また、最上段以外に位置する収容部２１０，２２０の扉２３０，２４０には、照明機構部２９０を設けていない。
【００６８】
上記構成につき、その作用を以下に述べる。
【００６９】
本壁面収納システム２００は、全ての扉２３０，２４０を開閉機構部２５０を介して回動自在に垂直方向に移動させて収容部２１０，２２０の正面部側を閉塞させると、壁４０と一体的になり、居住空間１０の壁として機能を呈するものである。この状態でＬＥＤ照明具２９２を点灯させれば、例えば居住空間１０の補助照明として機能するものである。
【００７０】
ここで、着脱自在に取外しが可能な扉２３０，２４０に所望のデザインを施してあれば、同形の扉同士を交換して取付ければ、居住空間１０の視覚的印象を変えられるものである。扉２３０，２４０の取外しは、扉２３０，２４０を凹部２３２，２４２を介して正面側２００ｂに引張れば、樹脂製の突起部２５２が変形して突起受け部２５４から離脱することにより可能となる。扉２３０，２４０の取付けは、突起部２５２を突起受け部２５４に押込み嵌合させることにより可能となる。
【００７１】
また、例えば２段目に位置する収容部２１０の扉２３０を、開閉機構部２５０を介して矢印Ｄ方向に回動して水平状態にすると、ステー機構部２８０が扉２３０の水平状態を保持するので、簡単なライティングディスクとして機能するものである。このとき、照明機構部２９０が設けられた扉２３０を、開閉機構部２５０を介して矢印Ｕ方向に回動して水平状態にすると、ステー機構部２８０が扉２３０の水平状態を保持するので、ＬＥＤダウンライト照明具２９４を点灯状態にすれば、手元を明るくした状態でライティングディスク機能を利用できるものである。また、ＬＥＤ照明具２９２を点灯させれば、光が天井３０で反射することにより間接照明として機能するものである。
【００７２】
扉２３０，２４０が着脱自在に取外し可能な収容部２１０，２２０或いは収納部２６０，２７０にあっては、内部に例えば装飾用小物を置いて扉２３０，２４０を取外しておけば、飾り棚として機能するものである。また、扉２３０，２４０を閉塞状態にしておけば、小物入れとして機能できるものである。
【００７３】
収納部２６０，２７０に収納された上記装飾用小物は、収容部２１０，２２０から収納部２６０，２７０を挿脱自在に取外し可能としてあるので、当該小物を収納部２６０，２７０に収納した状態で持運びや移動或いは他の収容部２１０，２２０への移動等が可能である。
このとき、取り外し可能な扉２３０，２４０にて収納部２６０，２７０の正面開口部を閉塞状態にしておけば、持運びや移動時における被収納物の落下等の防止も図れるものである。
【００７４】
収納棚２６４，２７４を収納部２６０，２７０に取付けておけば、収納数も増え、また飾り棚としての見栄えも良くなるものである。
【００７５】
上記実施形態によれば、壁面収納システム２００は居住空間１０の壁４０と一体となってフレキシブルウォールとして機能し、居住空間１０の広さを損なうことなく、簡単な構造で壁裏空間の有効活用を図れるものである。また、操作性も良く取扱いが容易という実用的効果を奏するものである。
また、上記実施形態によれば、扉２３０，２４０を着脱自在に交換可能としてあるので、扉２３０，２４０に施されるデザインを容易に変更可能となり、居住空間１０側の意匠性の自由度向上を図れ、美観にも優れ且つフレキシブルウォール機能を高められるという効果を奏するものである。
【００７６】
さらに、上記実施形態によれば、扉２３０を水平状態にしてライティングディスクとして機能させることもでき、また照明機構部２９０により補助照明機能或いは間接照明機能を提供することも可能となり、実用的であり便利なものである。
さらに、上記実施形態によれば、収容部２１０，２２０或いは収納部２６０，２７０を例えば装飾用の棚や収納用棚としても機能させることができるので、実用的にも優れるものである。しかも、収納部２６０，２７０は取外して移動や持運び等可能なので、便利で有用なものである。
さらに、上記実施形態によれば、収納部２６０，２７０に着脱自在な収納棚２６４，２７４により、収納数も増え、また飾り棚としての見栄えも良くなるものである。
【００７７】
図２３は、上記実施形態の変形例に係る扉２３０であり、同一部分、同一機能については、同一記号を付して説明は省略する。
【００７８】
扉２３０の背面側には、底面部が正方形状の凹部２３０ａが形成されている。凹部２３０ａの中心部には、凹部２３０ａ内に納まるようにＬＥＤダウンライト照明具２９４を設けている。このような構造により、ＬＥＤダウンライト照明具２９４が扉２３０の背面側から突出しない外観を呈することが可能となるものである。
【００７９】
本考案は上記実施形態に限定されることなく、その趣旨を逸脱しない限り種々の変形が可能なことは勿論である。
【符号の説明】
【００８０】
１０                            …居住空間
２０                            …床面
３０                            …天井
４０                            …壁
４０ａ                          …壁裏
４０ｂ                          …壁面
１００，２００                  …壁面収納システム
１００ｂ，２００ｂ              …正面側
１１０，１２０，２２０，２２０  …収容部
１３０，１４０，２３０，２４０  …扉
１５０，２５０                  …開閉機構部
１５２，２５２                  …突起部
１５４，２５４                  …突起受け部
１６０，１７０，２６０，２７０  …収納部
１６４，１７４，２６４，２７４  …収納棚
１８０，２８０                  …ステー機構部
１９０，２９０                  …照明機構部
【図１】
0003205168.tif 000003
【図２】
0003205168.tif 000004
【図３】
0003205168.tif 000005
【図４】
0003205168.tif 000006
【図５】
0003205168.tif 000007
【図６】
0003205168.tif 000008
【図７】
0003205168.tif 000009
【図８】
0003205168.tif 000010
【図９】
0003205168.tif 000011
【図１０】
0003205168.tif 000012
【図１１】
0003205168.tif 000013
【図１２】
0003205168.tif 000014
【図１３】
0003205168.tif 000015
【図１４】
0003205168.tif 000016
【図１５】
0003205168.tif 000017
【図１６】
0003205168.tif 000018
【図１７】
0003205168.tif 000019
【図１８】
0003205168.tif 000020
【図１９】
0003205168.tif 000021
【図２０】
0003205168.tif 000022
【図２１】
0003205168.tif 000023
【図２２】
0003205168.tif 000024
【図２３】
0003205168.tif 000025